(57)【要約】【課題】超音波診断装置の断層像と心電計の心電波形とを関連づけて診断可能な超音波診断装置を提供する。【解決手段】上記課題は、被検体の断層像を得る超音波診断装置１と、上記被検体の心電波形を計測する心電計２と、心電計２と超音波診断装置１とに接続され超音波診断装置１に心電波形を伝達するインターフェース部３と、インターフェース部に３より伝達された心電波形を上記被検体の断層像に重畳して表示することによって解決される。【選択図】      図１
2004351022.tif 000002
【特許請求の範囲】
【請求項１】
被検体の断層像を得る超音波診断装置において、上記被検体の心電波形を計測する心電計測器と、この心電計測器と上記超音波診断装置とに接続され上記超音波診断装置に心電波形を伝達するインターフェース部と、このインターフェース部により伝達された心電波形を上記被検体の断層像に重畳して表示する手段とを備えたことを特徴とする超音波診断装置。
【請求項２】
上記表示手段は、上記心電計測器により計測された心電波形の経過時間と上記超音波診断装置に得られた断層像の経過時間を合わせて表示することを特徴とする請求項１に記載の超音波診断装置。
【請求項３】
上記表示手段により表示された心電波形の設定値を調整する手段と、この調整手段により調整された設定値を上記インターフェース部により伝達し、その伝達された設定値により上記心電計測器を制御する手段とを備えたことを特徴とする請求項１，２の１項に記載の超音波診断装置。
【請求項４】
被検体の断層像を表示する超音波画像表示装置において、上記被検体の心電波形を計測する心電計測器と、この心電計測器と上記超音波画像表示装置とに接続され上記超音波画像表示装置に心電波形を伝達するインターフェース部とを具備し、上記超音波画像表示装置は、上記インターフェース部により伝達された心電波形を上記被検体の断層像に重畳して表示することを特徴とする超音波画像表示装置。
【発明の詳細な説明】
【０００１】
【発明が属する技術分野】
本発明は、断層像のみが表示できる簡易型の超音波診断装置と心電計測器（心電計）からの心電波形とを合成表示が可能な超音波診断装置に関する。
また、パーソナルコンピュータで超音波診断装置により得られた断層像と心電計測器により計測された心電波形とを合成表示が可能な超音波画像表示装置に関する。
【０００２】
【従来の技術】
従来の超音波診断装置は、［特許文献１］に記載したように、探触子を介して被検体へ超音波を送信してその被検体からの反射エコー信号を受信し、その反射エコー信号を信号処理し被検体の断層像（Ｂモード像）、心臓の拍動を動態的に観察する画像（Ｍモード像）を表示していた。
【０００３】
【特許文献１】
特開２０００−３７３８６号公報
【０００４】
【発明が解決しようとする課題】
しかしながら、上記従来技術は、Ｍモード像が得られるような超音波診断装置は一般に病院で使われるような大型の装置であり、救急車に搭載することは困難であるため、いわゆるＢモード像しか得られないポータブル機と呼ばれる超音波診断装置が救急車等への車載用として流通しており、また救急車等には心電計も併せて搭載されており、その超音波診断装置の断層像と心電計の心電波形とを関連づけて診断したいというニーズに応えられるものではなかった。
また、パーソナルコンピュータで超音波診断装置からのＢモード像と心電計からの心電波形を融合して診断したいというニーズに応えられるものではなかった。
【０００５】
本発明の目的は、超音波診断装置の断層像と心電計の心電波形とを関連づけて診断可能な超音波診断装置を提供することにある。
【０００６】
また、本発明の別の目的は、超音波診断装置の断層像と心電計の心電波形とを関連づけて診断可能な超音波画像表示装置を提供することにある。
【０００７】
【課題を解決するための手段】
上記目的は、被検体の断層像を得る超音波診断装置において、上記被検体の心電波形を計測する心電計測器と、この心電計測器と上記超音波診断装置とに接続され上記超音波診断装置に心電波形を伝達するインターフェース部と、このインターフェース部により伝達された心電波形を上記被検体の断層像に重畳して表示する手段とを備えたことを特徴とする超音波診断装置によって達成される。
【０００８】
また、上記表示手段は、上記心電計測器により計測された心電波形の経過時間と上記超音波診断装置に得られた断層像の経過時間を合わせて表示してもよい。
【０００９】
また、上記表示手段により表示された心電波形の設定値を調整する手段と、この調整手段により調整された設定値を上記インターフェース部により伝達し、その伝達された設定値により上記心電計測器を制御する手段とを備えてもよい。
【００１０】
また、上記別の目的は、被検体の断層像を表示する超音波画像表示装置において、上記被検体の心電波形を計測する心電計測器と、この心電計測器と上記超音波画像表示装置とに接続され上記超音波画像表示装置に心電波形を伝達するインターフェース部とを具備し、上記超音波画像表示装置は、上記インターフェース部により伝達された心電波形を上記被検体の断層像に重畳して表示することを特徴とする超音波画像表示装置によって達成される。
【００１１】
【発明の実施の形態】
本発明の実施の一形態について図面を用いて説明する。
図１は本発明の心電計が接続された超音波診断装置の構成例を示す図、図２は図１の機能ブロック図、図３は図１，２の超音波診断装置の動作例を示すフローチャートである。
【００１２】
本発明の超音波診断装置は、図１に示すように、超音波診断装置（本体）１と、心電計２と、超音波診断装置１と心電計２とを電気的に接続するインターフェース部３と有している。
【００１３】
超音波診断装置１は被検体（図示しない）の断層像を得る。心電計２は被検体に電極２１〜２３を取り付けその被検体の心電波形を計測する。インターフェース部３は心電計２からの心電波形を超音波診断装置１に伝達されると共に、超音波診断装置１に表示された心電波形に対する調整された設定値が超音波診断装置１から心電計２へ伝達されるようになっている。
【００１４】
次に、上記超音波診断装置１、心電計２、インターフェース部３の各機能について図２を用いて説明する。
超音波診断装置１は探触子１１と、探触子１１と電気的に接続される超音波送受信制御部１２と、超音波送受信制御部１２と電気的に接続されるＡ／Ｄ変換部１３と、Ａ／Ｄ変換部１３と電気的に接続される超音波画像データ生成部１４と、超音波画像データ生成部１４と電気的に接続される超音波画像メモリ１５と、時間データ作成回路１６と、超音波画像メモリ１５、時間データ作成回路１６及びインターフェース部３と電気的に接続される超音波画像データ心電波形データ合成部１７と、超音波画像データ心電波形データ合成部１７と電気的に接続されるＴＶ信号生成部１８と、ＴＶ信号生成部１８と電気的に接続されるＴＶモニタ１９とを有している。
【００１５】
探触子１１は被検体に当接して被検体内へ超音波信号を送信し、被検体からの反射エコー信号を受信する。超音波送受信制御部１２は探触子１１に超音波が送信可能となるように信号を印加すると共に、探触子１１により受信された反射エコー信号を増幅、整相を含む信号処理を行う。Ａ／Ｄ変換部１３は信号処理された反射エコー信号をアナログ信号からデジタルへ変換する。超音波画像データ生成部１４はデジタル化された反射エコー信号から被検体の断層像へ変換する。超音波画像メモリ１５は被検体の断層像を記憶する。時間データ作成回路１６は被検体の断層像が順次得られるのでその順次得られる時間情報を作成する、いわばタイマーである。超音波画像メモリ１５には、このタイマーの時間情報と断層像を対応づけて記憶してもよい。超音波画像データ心電波形データ合成部１７は超音波画像メモリ１５に記憶された断層像とインターフェース部３を介して伝達される心電波形とを、それぞれに計測された時間に同期させて、その断層像と心電波形を合成し重畳画像を生成する。ＴＶ信号生成部１８は超音波画像データ心電波形データ合成部１７に生成された重畳画像をＴＶモニタ１９の表示階調となるように階調づけを行う。ＴＶモニタ１９はＴＶ信号生成部１８に階調づけされた重畳画像を表示する。
【００１６】
また、心電計２は心電検出部（電極）２１〜２３と、心電検出部（電極）２１〜２３と電気的に接続される信号増幅部２４と、信号増幅部２４と電気的に接続されるＡ／Ｄ変換部２５と、Ａ／Ｄ変換部２５及びインターフェース部３と電気的に接続される心電波形データ生成部２６とを有している。
【００１７】
電極２１〜２３は被検体の心電信号を検出する。信号増幅部２４は電極２１〜２３により検出された心電信号を増幅する。Ａ／Ｄ変換部２５は信号増幅部２４により増幅された心電信号をアナログからデジタルへ変換する。心電波形データ生成部２６はＡ／Ｄ変換部２５によりデジタル化された心電信号の経時的変化を示す心電波形を生成する。また、超音波診断装置にはタイマー１６を有しているので、このタイマー１６の時間情報を得て、断層像と心電波形の同期を取りやすくしてもよい。
【００１８】
また、インターフェース部３は、超音波診断装置１と心電計２を接続するもので、ＵＳＢ、シリアルポートなど、両者を接続可能なインターフェースであれば何であってもよい。
【００１９】
次に、上記超音波診断装置の動作について、図３を用いて説明する。
超音波診断装置１は、被検体の断層像データを生成する（ステップ３１）。
【００２０】
心電計２は、被検体の心電情報を所定時間計測し、時々刻々得られる心電波形を生成する（ステップ３２）。
【００２１】
時間データ作成回路１６は、被検体の断層像が順次得られる時間情報を作成する（ステップ３３）。
【００２２】
超音波画像データ心電波形データ合成部１７は、超音波画像メモリ１５に記憶された断層像とインターフェース部３を介して伝達される心電波形とを、それぞれに計測された時間に同期させて、その断層像と心電波形を合成し重畳画像を生成する（ステップ３４）。
【００２３】
ＴＶモニタ１９は、ＴＶ信号生成部１８に階調づけされた重畳画像を表示する（ステップ３５）。
【００２４】
重畳画像をＴＶモニタ１９に表示したとき、被検体の断層像と心電波形の表示レートが速すぎたり、遅すぎたりすることがある。そこで、診断に供するように超音波診断装置内のタイマー１６の情報を用いて心電波形の表示レートを調整する。具体的には、超音波診断装置に設けられている操作卓（図示しない）にあるトラックボールなどの入力装置の入力により、例えばそのトラックボールを左に回せば表示レートを遅く、右に回せば表示レートを早くするように調整可能とする。調整要であれば、ステップ３２から心電波形データの生成を繰り返すか、心電波形データを別途メモリ（図示しない）記憶して、その別途メモリから読み出し、ステップ３５までの操作を再度行う。調整不要であれば終了する（ステップ３６）。
【００２５】
以上説明したように、本実施形態によれば、被検体の心電波形を計測する心電計２と、この心電計２と超音波診断装置１とに接続され超音波診断装置１に心電波形を伝達するインターフェース部３と、インターフェース部３により伝達された心電波形を上記被検体の断層像に重畳する超音波画像データ心電波形データ合成部１７とを備えているので、超音波診断装置の断層像と心電計の心電波形とを関連づけて診断可能な超音波診断装置を提供することができる。
【００２６】
また、上記表示手段は、上記心電計測器により計測された心電波形の経過時間と上記超音波診断装置に得られた断層像の経過時間を合わせて表示することができるから、断層像と心電波形を同期して表示することができる。
【００２７】
また、上記表示手段により表示された心電波形の設定値を調整する手段と、この調整手段により調整された設定値を上記インターフェース部により伝達し、その伝達された設定値により上記心電計測器を制御する手段とを備えているので、同期して表示した断層像と心電波形を診断に供するように調整することができる。
【００２８】
次に、パーソナルコンピュータ等を用いた超音波画像表示装置に関する実施形態を説明する。
図４は本発明の心電計が接続された超音波画像表示装置の構成例を示す図、図５は図４の機能ブロック図、図６は図４，５の超音波画像表示装置の動作例を示すフローチャートである。
【００２９】
本発明の超音波画像表示装置は、図４に示すように、パーソナルコンピュータ４０と、心電計４１と、パーソナルコンピュータ４０と心電計４１とを電気的に接続するインターフェース部４２と有している。
【００３０】
パーソナルコンピュータ４０は別途の超音波診断装置から得た被検体（図示しない）の断層像を表示する。心電計４１は被検体に電極４１１〜４１３を取り付けその被検体の心電波形を計測する。インターフェース部４２は心電計４１からの心電波形をパーソナルコンピュータ４０に伝達されると共に、パーソナルコンピュータ４０に表示された心電波形に対する調整された設定値がパーソナルコンピュータ４０から心電計４１へ伝達されるようになっている。
【００３１】
次に、上記パーソナルコンピュータ４０、心電計４１、インターフェース部４３の各機能について図５を用いて説明する。
パーソナルコンピュータ４０は、超音波画像メモリ４０１と、時間データ作成回路４０２と、超音波画像メモリ４０１、時間データ作成回路４０２及びインターフェース部４２と電気的に接続される超音波画像データ心電波形データ合成部４０３と、超音波画像データ心電波形データ合成部４０３と電気的に接続されるＴＶ信号生成部４０４と、ＴＶ信号生成部４０４と電気的に接続されるＴＶモニタ４０５とを有している。
【００３２】
超音波画像メモリ４０１は別途超音波診断装置から得られた被検体の断層像を記憶する。時間データ作成回路４０２は被検体の断層像が順次得られるのでその順次得られる時間情報を作成する、いわばタイマーである。超音波画像メモリ４０１には、このタイマーの時間情報と断層像を対応づけて記憶してもよい。超音波画像データ心電波形データ合成部４０３は超音波画像メモリ４０１に記憶された断層像とインターフェース部４２を介して伝達される心電波形とを、それぞれに計測された時間に同期させて、その断層像と心電波形を合成し重畳画像を生成する。ＴＶ信号生成部４０４は超音波画像データ心電波形データ合成部４０３に生成された重畳画像をＴＶモニタ４０５の表示階調となるように階調づけを行う。ＴＶモニタ４０５はＴＶ信号生成部４０４に階調づけされた重畳画像を表示する。
【００３３】
また、心電計４１は心電検出部（電極）４１１〜４１３と、心電検出部（電極）４１１〜４１３と電気的に接続される信号増幅部４１４と、信号増幅部４１４と電気的に接続されるＡ／Ｄ変換部４１５と、Ａ／Ｄ変換部４１５及びインターフェース部４２と電気的に接続される心電波形データ生成部４１６とを有している。
【００３４】
電極４１１〜４１３は被検体の心電信号を検出する。信号増幅部４１４は電極４１１〜４１３により検出された心電信号を増幅する。Ａ／Ｄ変換部４１５は信号増幅部４１４により増幅された心電信号をアナログからデジタルへ変換する。心電波形データ生成部４１６はＡ／Ｄ変換部４１５によりデジタル化された心電信号の経時的変化を示す心電波形を生成する。また、超音波診断装置にはタイマー４０２を有しているので、このタイマー４０２の時間情報を得て、断層像と心電波形の同期を取りやすくしてもよい。
【００３５】
また、インターフェース部４２は、パーソナルコンピュータ４０と心電計４１を接続するもので、ＵＳＢ、シリアルポートなど、両者を接続可能なインターフェースであれば何であってもよい。
【００３６】
次に、上記超音波診断装置の動作について、図６を用いて説明する。
パーソナルコンピュータ４０は、被検体の断層像データを超音波画像メモリ４０１から読み出す（ステップ６１）。
【００３７】
心電計２は、被検体の心電情報を所定時間計測し、時々刻々得られる心電波形を生成する（ステップ６２）。
【００３８】
時間データ作成回路４０２は、被検体の断層像が順次読み出される時間情報を作成する（ステップ６３）。
【００３９】
超音波画像データ心電波形データ合成部４０３は、超音波画像メモリ４０１に記憶された断層像とインターフェース部４２を介して伝達される心電波形とを、それぞれに計測された時間に同期させて、その断層像と心電波形を合成し重畳画像を生成する（ステップ６４）。
【００４０】
ＴＶモニタ４０５は、ＴＶ信号生成部４０４に階調づけされた重畳画像を表示する（ステップ６５）。
【００４１】
重畳画像をＴＶモニタ４０５に表示したとき、被検体の断層像と心電波形の表示レートが速すぎたり、遅すぎたりすることがある。そこで、診断に供するように超音波診断装置内のタイマー４０２の情報を用いて心電波形の表示レートを調整する。具体的には、超音波診断装置に設けられている操作卓（図示しない）にあるトラックボールなどの入力装置の入力により、例えばそのトラックボールを左に回せば表示レートを遅く、右に回せば表示レートを早くするように調整可能とする。調整要であれば、ステップ６２から心電波形データの生成を繰り返すか、心電波形データを別途メモリ（図示しない）記憶して、その別途メモリから読み出し、ステップ６５までの操作を再度行う。調整不要であれば終了する（ステップ６６）。
【００４２】
以上説明したように、本実施形態によれば、被検体の心電波形を計測する心電計４１と、この心電計４１とパーソナルコンピュータ４０とに接続されパーソナルコンピュータ４０に心電波形を伝達するインターフェース部４２と、インターフェース部４２により伝達された心電波形を上記被検体の断層像に重畳する超音波画像データ心電波形データ合成部４０３とを備えているので、超音波診断装置の断層像と心電計の心電波形とを関連づけて診断可能な超音波診断装置を提供することができる。
【００４３】
【発明の効果】
本発明は、超音波診断装置の断層像と心電計の心電波形とを関連づけて診断可能な超音波診断装置を提供するという効果を奏する。
【００４４】
また、超音波診断装置の断層像と心電計の心電波形とを関連づけて診断可能な超音波画像表示装置を提供するという効果を奏する。
【図面の簡単な説明】
【図１】本発明の心電計が接続された超音波診断装置の構成例を示す図。
【図２】図１の機能ブロック図。
【図３】図１，２の超音波診断装置の動作例を示すフローチャート。
【図４】本発明の心電計が接続された超音波画像表示装置の構成例を示す図。
【図５】図４の機能ブロック図。
【図６】図４，５の超音波画像表示装置の動作例を示すフローチャート。
【符号の説明】
１…超音波診断装置、２…心電計、３…インターフェース部
【図１】
2004351022.tif 000003
【図２】
2004351022.tif 000004
【図３】
2004351022.tif 000005
【図４】
2004351022.tif 000006
【図５】
2004351022.tif 000007
【図６】
2004351022.tif 000008